(57)【要約】【課題】無線通信機の個別呼び出しを明確に報知することができる無線通信機を提供する。【解決手段】無線通信機において個別呼び出しを受けたとき、ステップＳ７およびＳ８に示すように、チャンネル表示器にチャンネル表示をさせると共にチャンネル表示器のバックライトを点滅駆動させ、プログラムファンクションキーおよびテンキーを含む全キーのバックライトを点滅駆動させ、かつ呼び出し表示のためのＬＥＤを点滅駆動させると共に、スピーカから呼び出し音を発生させる。【選択図】        図１
2006025272.tif 000002
【特許請求の範囲】
【請求項１】
無線通信機において個別呼び出しを受けたとき、チャンネル表示器にチャンネル表示をさせると共にチャンネル表示器のバックライトを点滅駆動させ、プログラムファンクションキーおよびテンキーを含む全キーのバックライトを点滅駆動させ、かつ呼び出し表示のためのＬＥＤを点滅駆動させると共に、スピーカから呼び出し音を発生させることを特徴とする無線通信機。
【請求項２】
無線通信機において自己の位置を第３者に示すための緊急指示スイッチが押し圧されたとき、チャンネル表示器にチャンネル表示をさせると共にチャンネル表示器のバックライトを点滅駆動させ、プログラムファンクションキーおよびテンキーを含む全キーのバックライトを点滅駆動させると共に、スピーカから警報音を発生させることを特徴とする無線通信機。
【発明の詳細な説明】
【技術分野】
【０００１】
本発明は個別受信、または緊急状態であることを表示する無線通信機に関する。
【背景技術】
【０００２】
無線通信機において、送信側から通信チャンネル（周波数）で通信情報が送信されてくると共に、送信されてくる通信情報に音声出力先に割り当てた予め定めた信号コードを重畳して送信し、受信側で受信した信号コードに基づいて音声信号出力を選択するようにしたものがある。（例えば、特許文献１参照）。
【特許文献１】特開２００１−２３７７６７号公報
【０００３】
一方、無線通信機では、送信側から受信側へ、ＤＴＭＦ信号や２トーン信号といった個別呼び出し用のトーン信号を送信して、この個別呼び出し用信号を受信したとき呼び出されたと判別して個別呼び出しの通知をすることが行われている。
【０００４】
具体的には、図４に示すように、受信周波数の信号を受信し、無線通信機に設定されている受信周波数と一致するか否かをチェックし（ステップＳ１、Ｓ２）、一致したと判別したときは呼び出し用のトーン信号を受信し、呼び出し用のトーン信号が無線通信機に割り当てられているトーン信号と一致するか否かをチェックし（ステップＳ３、Ｓ４）、一致したと判別されたときは無線通信機のチャンネル表示器に一致したチャンネル表示を行い（ステップＳ５）、次いで無線通信機のスピーカから呼び出し音を発生させ（ステップＳ６）、無線通信機に設けた呼び出し表示のためのＬＥＤを点滅させて（ステップＳ７）、該無線通信機が呼び出されたことを通知している。上記表示は全てをほぼ同時に行うようにしたものも、一部を行うようにしたものもある
【０００５】
図５は無線通信機が呼び出されときの表示状態を模式的に示している。図５において、参照符号１０は受信側の無線通信機を、参照符号１１はチャンネル表示器を、参照符号１２はスピーカを、参照符号１３は個別呼び出し表示のためのＬＥＤを示している。参照符号１４は送信側の無線通信機を示している。
【０００６】
また送信側の無線通信機の使用者による緊急状態報知のために、図６に示すように、緊急状態のときに無線通信機に設けた緊急状態発信スイッチを押し圧操作し、該押し圧操作が予め定めた時間以上継続したか否かを判別し（ステップＳ１１、Ｓ１２）、緊急状態発信スイッチの押し圧操作が予め定めた時間以上継続したことを検出したときは、無線通信機において緊急状態を音声で示すことを指定しているか否かを判別して（ステップＳ１３）、音声で示すことが指定されているときは、音声による緊急状態の警報をする警報音を発生させると共に、無線通信機のチャンネル表示器に緊急用の警報表示を行い、これらの警報音および警報表示を予め定めた期間にわたり行わせて（ステップＳ１４、１５）、緊急時、第３者に無線通信機の操作者の位置を通知する。無線通信機において緊急状態を音声で示すことが指定されていないときは、緊急状態を示す予め定めた緊急動作が予め定めた期間行わされる（ステップＳ１６、Ｓ１７）。
【０００７】
ここで、ステップＳ１４においては、緊急状態であることを基地局に送信すると共に、上記した音声による緊急状態の警報をする警報音を発生させる。ステップＳ１６のときでは、緊急動作は緊急状態であることを基地局に送信することのみが行われる。
【発明の開示】
【発明が解決しようとする課題】
【０００８】
しかしながら、無線通信機の個別呼び出しを示す従来の表示では、暗い場所に無線通信機がおかれているときは無線通信機のチャンネル表示器の表示内容が見えにくいという問題点の他に、騒音の多い場所では呼び出し音が聞き取れないという問題点があり、さらに明るい場所でも、現状のＬＥＤでは点灯していても判別しにくく、個別呼び出しを報知することができない場合があるという問題点があった。
【０００９】
また、緊急表示の場合でも騒音の多い場所では音声による警報が聞きにくく、緊急時である旨の識別ができず、緊急事態になったことを他人に報知できず、使用者の所在を知らせることができない場合が生ずるという問題点があった。
【００１０】
本発明は、無線通信機の個別呼び出しを明確に報知することができ、緊急事態である旨を明確に報知することができる無線通信機を提供することを目的とする。
【課題を解決するための手段】
【００１１】
本発明にかかる請求項１記載の無線通信機は、無線通信機において個別呼び出しを受けたとき、チャンネル表示器にチャンネル表示をさせると共にチャンネル表示器のバックライトを点滅駆動させ、プログラムファンクションキーおよびテンキーを含む全キーのバックライトを点滅駆動させ、かつ呼び出し表示のためのＬＥＤを点滅駆動させると共に、スピーカから呼び出し音を発生させることを特徴とする。
【００１２】
本発明にかかる請求項２記載の無線通信機は、無線通信機において自己の位置を第３者に示すための緊急指示スイッチが押し圧されたとき、チャンネル表示器にチャンネル表示をさせると共にチャンネル表示器のバックライトを点滅駆動させ、プログラムファンクションキーおよびテンキーを含む全キーのバックライトを点滅駆動させると共に、スピーカから警報音を発生させることを特徴とする。
【発明の効果】
【００１３】
本発明にかかる請求項１記載の無線通信機によれば、無線通信機において個別呼び出しを受けたとき、チャンネル表示器にチャンネル表示がさせられると共にチャンネル表示器のバックライトが点滅させられ、プログラムファンクションキーおよびテンキーを含む全キーのバックライトが点滅させられ、かつ呼び出し表示のためのＬＥＤが点滅表示させられると共に、スピーカから呼び出し音が発生させられる。
【００１４】
したがって、請求項１記載の無線通信機において個別呼び出しを受けたとき、チャンネル表示、プログラムファンションキーとテンキーを含む全キーおよびＬＥＤが点滅させられるために無線通信機が明るい場所におかれていても、個別呼び出しを受けていることが容易にわかり、無線通信機が騒音の多い場所におかれていても個別呼び出しを受けていることが容易に判る。
【００１５】
本発明にかかる請求項２記載の無線通信機によれば、無線通信機において自己の位置を第３者に示すための緊急指示スイッチが押し圧されたとき、チャンネル表示器にチャンネル表示がされると共に、プログラムファンクションキーおよびテンキーを含む全キーのバックライトが点滅させられ、かつスピーカから警報音が発生させられる。
【００１６】
したがって、請求項２記載の無線通信機において自己の位置を第３者に示すための緊急指示スイッチが押し圧されたとき、チャンネル表示、プログラムファンションキーおよびテンキーを含む全キーが点滅させられるために無線通信機が明るい場所におかれていても、緊急指示スイッチが押し圧されたことが判り、第３者に無線通信機の位置が容易にわかる。無線通信機が騒音の多い場所でも同様である。
【発明を実施するための最良の形態】
【００１７】
以下、本発明にかかる無線通信機を実施の形態によって説明する。
【００１８】
図１は本発明の実施の形態にかかる無線通信機の説明に供するフローチャートである。
【００１９】
本発明の実施の形態にかかる無線通信機は、図１に示すように、受信周波数の信号を受信し、無線通信機に設定されている受信周波数と一致するか否かをチェックし（ステップＳ１、Ｓ２）、一致したと判別したときは呼び出し用のトーン信号を受信し、呼び出し用のトーン信号が無線通信機に割り当てられているトーン信号と一致するか否かをチェックし（ステップＳ３、Ｓ４）、一致したと判別されたときは無線通信機のチャンネル表示器に一致したチャンネル表示を行い（ステップＳ５）、無線通信機のスピーカから呼び出し音を発生させ（ステップＳ６）、次いで無線通信機に設けた呼び出し表示のためのＬＥＤを点滅させ（ステップＳ７）、続いて、チャンネル表示器のバックライト、プログラムファンクションキーおよびテンキーを含む全キーのバックライトを点滅駆動させて（ステップＳ８）、該無線通信機が呼び出されたことを通知する。
【００２０】
本発明の実施の形態にかかる無線通信機では、ファンクションキーは、例えば、受信周波数をスキャンニングすることを指示するＳキー、ランプ点灯させるＡキー、音量アップを指示するＢキー、音量ダウンを指示するＣキーを含む。さらに、テンキーの他に＊キーおよび♯キーも点滅駆動する。Ｓキー、Ａキー、Ｂキー、Ｃキーに別の機能を割り当てることもできる。
【００２１】
そこで、本発明の実施の形態にかかる無線通信機が個別呼び出しを受けたときの受信側の無線通信機における表示状態は図２に模式的に示す如くである。送信側の無線通信機１４からの呼び出しトーンを受けて呼び出された受信側の無線通信機１０においては、チャンネル表示器１１にチャンネル表示がなされ、そのバックライトは点滅させられ、ＬＥＤ１３も同様に点滅させられ、ファンクションキー１５、＊キー、♯キーおよびテンキーを含む全キー１６も点滅させられる。これに加えてスピーカ１２からは呼び出し音が発生されることになる。したがって、受信側の無線通信機の操作者は自己が呼び出されていることを認識することができる。
【００２２】
次に送信側の無線通信機によって緊急状態を通知する場合について、図３のフローチャートに基づいて説明する。
【００２３】
緊急状態のときに無線通信機に設けた緊急状態発信スイッチを押し圧操作し、該押し圧操作が予め定めた時間以上継続したか否かを判別し（ステップＳ１１、Ｓ１２）、緊急状態発信スイッチの押し圧操作が予め定めた時間以上継続したことを検出したときは、無線通信機において緊急状態を音声で示すことを指定しているか否かを判別して（ステップＳ１３）、音声で示すことが指定されているときは、音声による緊急状態の警報音を発生させると共に、無線通信機のチャンネル表示器に緊急用の警報表示を行うと共にチャンネル表示器のバックライト、プログラムファンクションキーおよびテンキーを含む全キーのバックライトを点滅駆動させて（ステップＳ１８）、これらの警報音および警報表示を予め定めた期間にわたり行わせて（ステップＳ１４、１５）、緊急時、第３者に無線通信機の操作者の位置を通知する。無線通信機において緊急状態を音声で示すことが指定されていないときは、緊急状態を示す予め定めた緊急動作が予め定めた期間行わされる（ステップＳ１６、Ｓ１７）。
【００２４】
ここで、ステップＳ１４においては、緊急状態であることを基地局に送信すると共に、上記した音声による緊急状態の警報音を発生させると共に、無線通信機のチャンネル表示器に緊急用の警報表示を行うと共にチャンネル表示器のバックライト、プログラムファンクションキーおよびテンキーを含む全キーのバックライトを点滅駆動させる。ステップＳ１６のときでは、従来の場合と同様に、緊急動作は緊急状態であることを基地局に送信することのみが行われる。
【００２５】
そこで、本発明の実施の形態にかかる無線通信機において緊急状態においては、緊急状態であることが基地局に送信されると共に、チャンネル表示器に緊急用の警報表示が行われ、チャンネル表示器のバックライト、プログラムファンクションキーおよびテンキーを含む全キーのバックライトが点滅させられ、これに加えてスピーカ１２からは警報音が発生されることになる。これらの警報音および警報表示が予め定めた期間にわたり行われて、緊急時第３者に無線通信機の操作者の位置が通知される。
【００２６】
以上説明したように本発明の無線通信機によれば、無線通信機の個別呼び出しを明確に報知することができ、緊急事態である旨を明確に報知することができる。
【図面の簡単な説明】
【００２７】
【図１】本発明の実施の形態にかかる無線通信機が個別呼び出しを受けたときの説明に供するフローチャートである。
【図２】本発明の実施の形態にかかる無線通信機が個別呼び出しを受けたときの表示状態を示す模式図である。
【図３】本発明の実施の形態にかかる無線通信機において緊急指示がなされたときの説明に供するフローチャートである。
【図４】従来の本発明の無線通信機が個別呼び出しを受けたときの説明に供するフローチャートである。
【図５】従来の無線通信機が個別呼び出しを受けたときの表示状態を示す模式図である。
【図６】従来の無線通信機において緊急指示がなされたときの説明に供するフローチャートである。
【符号の説明】
【００２８】
１０  受信側の無線通信機
１１  チャンネル表示器
１２  スピーカ
１３  ＬＥＤ
１４  送信側の無線通信機
１５  ファンクションキー
１６  全キー
【図１】
2006025272.tif 000003
【図２】
2006025272.tif 000004
【図３】
2006025272.tif 000005
【図４】
2006025272.tif 000006
【図５】
2006025272.tif 000007
【図６】
2006025272.tif 000008